(57)【要約】　　　（修正有）【課題】簡単に眼鏡のずれ防止を図ることのできるずれ防止付き眼鏡を提供する。【解決手段】眼鏡１のつる２に曲げ自在な線体を螺旋状に巻装することで伸展性あるいは圧縮性バネの如く上記つる２の外周に螺旋状に延びる凹凸部３を形成する。【選択図】図１
0003098973.tif 000002
【実用新案登録請求の範囲】
【請求項１】
眼鏡（１）のつる（２）に曲げ自在な線体を螺旋状に巻装することで伸展性あるいは圧縮性バネの如く上記つる（２）の外周に螺旋状に延びる凹凸部（３）を形成したことを特徴とするずれ防止付き眼鏡。
【考案の詳細な説明】
【００１】
【産業上の利用分野】
近眼，老眼等の弱視の人にとっては，眼鏡は欠かせぬものの１つであるが，この考案は眼鏡がずれ落ちることによるトラブル，不便さを解消できるようにした眼鏡に関する。
【００２】
【従来の技術】
一般市販の眼鏡は，その製作容易性を考慮して眼鏡のつるの部分は，古今東西を問わず単純に耳の部分にかかる程度のつるを持った構造のものである。この構造が，現時点において単純且つ製作し易く，また使用上の面においても便利に他なら無いためである。
【００３】
このように洗練された眼鏡を常時，見に付けている弱視の人にとって，ときどき，眼鏡の煩わしさを感ずるケースが幾つかある。
その一つの事例としては，眼鏡が，ずり落ちることである。
例えば，運動などで激しく頭部を動かした場合や，軽い外部接触で眼鏡が滑り落ち，破損した場合などのとき等に，眼鏡のずり落下がないようにと思うことが多い。
【００４】
眼鏡自体は，洗練された形状且つ構造のため，その形状を変えることは難しく，何らかの適宜な部材，手段が従来から求められたいたにも係わらず，従前よりそれに適したものが出現していないのが現状である。
【００５】
【考案の課題】
即ち、この考案の課題は、簡単に眼鏡のずれ防止を図ることのできるずれ防止付き眼鏡を提供することにある。
そのために眼鏡自体のつるの部分の形状を変えでもよいし，それに装着できる安価且つ装着容易な何らかの部材を装着するようにしてもよい。
何れにしても，この考案は，眼鏡のずれ防止をはかることのできるずれ防止付き眼鏡を提供することにある。
【００６】
【課題を解決するための手段】
かかる本考案の課題は，眼鏡１のつる２に曲げ自在な線体を螺旋状に巻装することで伸展性あるいは圧縮性バネの如く上記つる２の外周に螺旋状に延びる凹凸部３を形成することで達成できる。
【００７】
【作用】
眼鏡１のつる２部分を人の耳にフックさせて，人の顔に装着する。このとき，伸展性バネや曲げ自在な線体を螺旋状に巻装することで形成した上記つる２の外周に螺旋状に延びる凹凸部３が耳の上部などに接触する。眼鏡１が動こうとした場合でも，凹凸部３があるため耳の上部の皮膚などに摩擦的に接触しているため，当該眼鏡１が顔からずり落ちるのを防止できる。
【００８】
【考案の実施の態様】
図１は，この考案の第１実施例としての眼鏡１の外観斜視図，図２は図１の眼鏡１のこの考案の主要部をなすつる２に装着した眼鏡ずれ防止具４の説明図，図３は図２の部分拡大図，図４眼鏡ずれ防止具４を眼鏡１のつる２に装着する場合の説明図である。以下，図１乃至図４を参照してこの考案の第１実施例について説明する。
【００９】
この考案の眼鏡１は，その主要部となるのは，この考案の主要部をなすつる２に装着した眼鏡ずれ防止具４にある。
従って，本来的には，眼鏡ずれ防止具４単体として実用新案を申請しても良いところであるが，この考案は種々のバラエティーを展開できるため，敢えてずれ防止付き眼鏡眼鏡として申請した。
従って，以下においては，主に，眼鏡ずれ防止具４について説明していく。
【０１０】
この考案の主要部をなすつる２に装着するための眼鏡ずれ防止具４は，曲げ自在な線体５で構成する。線体５の材質としては種々のものがあり，最適なものを用いれば良いが，曲げたときに簡単にその線体５が元に戻ってはいけないので，ある程度の硬質を持ったものを用いており，またこの実施例では軽量化を期待するためにシリコンゴム系の線体５を用いており，試作品では直径１．５ｍｍのものを用いている。
このような材質の線体５を選択した理由は，後記する凹凸部３を容易形成でき，また眼鏡１の重量負担を妨げ，高価な眼鏡１の落下による破損を防止するためである。
【０１１】
かかる眼鏡ずれ防止具４は，曲げ自在な線体５を図２に示すように螺旋状に巻装して筒状に形成し，ループ径として７ｍｍの伸展性バネあるいは圧縮性バネの如く螺旋状部１０を形状する。
このような螺旋状部１０を形成すると，眼鏡ずれ防止具４は，隣接する線体５と５の表面間に凹凸部３を形成する。
尚，眼鏡ずれ防止具４の螺旋状部１０の長さは，任意のものとするが，試作品では，全長１００ｍｍのものに形成してみた。
【０１２】
かかる眼鏡ずれ防止具４は，軽量化のため，顔へのフィト感があり，自然なものになり，また少々の運動による動きがあった場合でも，眼鏡１がずり落ちることはない。
【０１３】
以上のように形成した眼鏡ずれ防止具４は，伸展性バネあるいは圧縮性バネの如く形状になるが，これを形成するに当たって，両端部分はそれを延長折曲してパイロットループ６を形成している。
パイロットループ６の内径は，５ｍｍのものとなっている。
【０１４】
ここに眼鏡ずれ防止具４は，眼鏡１そのものが，顔の一部を構成するため，ファッション性を考慮して，あるいは髪の色に合わせて．例えば，黒色，茶色，半透明色，ラメ調色など適宜選択すれば良い。
【０１５】
かかる形状の眼鏡ずれ防止具４の場合，これを眼鏡１に装着するに当たっては，眼鏡１のつる２の後端縁柄７の端部から上記パイロットループ６のループ孔８をその伸展性を利用して押し広げて挿入し，当該パイロットループ６を後端縁柄７によって形成される段差部分９に係合させる。このことにより，眼鏡ずれ防止具４の眼鏡１からの離脱防止を図っている。
【０１６】
勿論ながら，かかる眼鏡ずれ防止具４は，眼鏡１そのものが両側につる２部分があるので，両方のつる２部分に装着する。
【０１７】
図５は，この考案の第２実施例を示すための眼鏡ずれ防止具４−１の説明図である。
【０１７】
この図５を参照して説明すると，この第２実施例としての眼鏡ずれ防止具４−１の場合は，眼鏡ずれ防止具４の一方の端部を上記パイロットループ６を形成することなく，そのまま延長した延長線部１１を形成したものとなっている。
【０１８】
かかる眼鏡ずれ防止具４−１の場合は，延長線部１１があるので，この延長線部１１を耳に係合することで眼鏡１の顔面からの脱落防止を図っている。
【０１９】
図６に示す第３実施例としての眼鏡ずれ防止具４−２の場合は，図４の眼鏡ずれ防止具４を２個用い，それらの端部を延長部１２ａを介して眼鏡ずれ防止具部材４−１ａと４−１ｂとを接続したような構造となっている。
この場合における延長部１２ａは，種々のバリエーションが考えられるので，その長さは任意であるが，例えば，人の首にぶらさげることの出来るようにするためには比較的長さのあるものに形成し，人の頭部に固定する場合には，それに合うような長さのものに設計選択される。
【０２０】
尚，この眼鏡ずれ防止具４−２の場合は，後記する眼鏡ずれ防止具４−３同様に試作品としては，長さ４００ｍｍのものに形成してみたが頭部に非常にフイットして心地良いものになった。
【０２１】
この図７を参照して説明すると，この第４実施例としての眼鏡ずれ防止具４−３の場合は，眼鏡ずれ防止具４の一方の端部を上記パイロットループ６を形成することなく，そのまま延長した延長線部１１を形成したものである点においては，第３実施例の眼鏡ずれ防止具４−３同様であるが，延長部１２ｂを軽い波状のものに形成し，人体との係合部分を多くしたものとなっている。
その他の点においては，眼鏡ずれ防止具４−３の場合同様，上記眼鏡ずれ防止具４−２と変わることがないので，詳細は省略する。
【０２２】
【効果】
この考案によれば，眼鏡のつるの部分に当該つるの軸線方向に沿って螺旋状の凹凸部が簡単に形成できるので，この凹凸部が人体の皮膚などと摩擦的接触することになり，眼鏡のずれ防止を図ることができる。
しかも，このための眼鏡ずれ防止具は，非常に安価な部材によって形成できるので，当該眼鏡の価格を上げることなく，逆に機能性を上昇したずれ防止付き眼鏡として実用上の効果甚大なものとなる。
【図面の簡単な説明】
【図１】この考案の第１実施例としての眼鏡の斜視図である。
【図２】図１の眼鏡のこの考案の主要部をなすつるに装着した眼鏡ずれ防止具の説明図である。
【図３】図２の部分拡大図である。
【図４】眼鏡ずれ防止具を眼鏡のつる２に装着する場合の説明図である。
【図５】この考案の第２実施例を示すための眼鏡ずれ防止具の説明図である。
【図６】この考案の第３実施例を示すための眼鏡ずれ防止具の説明図である。
【図７】この考案の第４実施例を示すための眼鏡ずれ防止具の説明図である。
【符号の説明】
１　　眼鏡
２　　つる
３　　凹凸部
４，４−１，４−１ａ，４−１ｂ　　眼鏡ずれ防止部材
５　　線体
６　　パイロットループ
７　　後端縁柄
８　　ループ孔
９　　段差部分
１０　螺旋状部
１１　延長線部
１２ａ，１２ｂ　延長部
【図１】
0003098973.tif 000003
【図２】
0003098973.tif 000004
【図３】
0003098973.tif 000005
【図４】
0003098973.tif 000006
【図５】
0003098973.tif 000007
【図６】
0003098973.tif 000008
【図７】
0003098973.tif 000009